(57)【要約】【課題】収納体内の収納量に応じて収納体の下動を緩衝する弾性体の強さを調整変更することができる棚配設用収納装置を提供すること。【解決手段】底面を開放させた棚１内に収納体２を配設し、この収納体２と棚１とに収納体２を上下方向にスライドするスライド機構を設け、このスライド機構を介して収納体２を棚１内からこの棚１の略真下方向へ引き出し配設できるように構成し、棚１の内面に、連結腕杆４の一端部を枢着してこの枢着部５を支点に連結腕杆４を起伏回動自在に設けると共に、この連結腕杆４の他側部を収納体２に連結してこの収納体２の上下スライド移動に伴ってこの連結腕杆４が起伏回動するように構成し、この連結腕杆４と棚１の内面との間に、連結腕杆４を上方へ起動回動するように付勢する弾性体６を架設し、この弾性体６の棚１内面への固定位置７を、結腕杆４の枢着部５より離れた位置に設定すると共に、この固定位置７を棚１内の上下方向に移動して位置変更し得る移動機構８を備える。【選択図】        図２
2005052220.tif 000002
【特許請求の範囲】
【請求項１】
底面を開放させた棚内に収納体を配設し、この収納体と棚とにこの収納体を上下方向にスライドせしめるスライド機構を設け、このスライド機構を介して収納体を棚内からこの棚の略真下方向であって棚の底面開放部より下がった位置に引き出し配設できるように構成した棚配設用収納装置であって、前記棚の内面に、連結腕杆の一端部を枢着してこの枢着部を支点に連結腕杆を起伏回動自在に設けると共に、この連結腕杆の他側部を前記収納体に連結してこの収納体の上下スライド移動に伴ってこの連結腕杆が起伏回動するように構成し、この連結腕杆と前記棚の内面との間に、連結腕杆を上方へ起動回動するように付勢する弾性体を架設し、この弾性体の棚内面への固定位置を、前記連結腕杆の前記枢着部より離れた位置に設定すると共に、この固定位置を棚内の上下方向に移動して位置変更し得る移動機構を備えたことを特徴とする棚配設用収納装置。
【請求項２】
前記弾性体の棚内面への固定位置を、前記収納体により前記連結腕杆を下方へ伏動回動させようとする荷重と、この連結腕杆を逆に上方へ起動回動させようとする前記弾性体の付勢力との総和による作用が略一定となる弾性体の基準固定位置に対して、前記移動機構により棚内の上方若しくは下方へ位置変更することにより、収納体にかかる弾性体の付勢力を調整し得るように構成したことを特徴とする請求項１記載の棚配設用収納装置。
【請求項３】
前記弾性体の棚内面への固定位置を、前記収納体自体の自重若しくは収納体に収納物を収納した状態での荷重により前記連結腕杆を下方へ伏動回動させようとする荷重と、この連結腕杆を逆に上方へ起動回動させようとする前記弾性体の付勢力とが、前記収納体の上下スライド可動範囲内において常に略つりあう弾性体の基準固定位置に対して、前記移動機構により棚内の上方若しくは下方へ位置変更することにより、収納体にかかる弾性体の付勢力を調整し得るように構成したことを特徴とする請求項１，２のいずれか１項に記載の棚配設用収納装置。
【請求項４】
前記連結腕杆の他端部に前記収納体を吊り下げ連結し、この連結腕杆の他端部に前記弾性体としての吊り上げバネの一端を連結すると共に、吊り上げバネの他端を，連結腕杆の前記枢着部より離れた前記棚内面に所定範囲上下スライド自在に設けた移動体に連結して、この移動体の移動範囲内では常に吊り上げバネと連結腕杆とがＶ字状に配されるように構成すると共に、この移動体のスライド移動により吊り上げバネの一端の連結固定位置を位置変更し得る前記移動機構を構成したことを特徴とする請求項１〜３のいずれか１項に記載の棚配設用収納装置。
【請求項５】
前記移動機構に、前記弾性体の前記棚内面への固定位置を移動して位置変更せしめる位置変更操作部を備えたことを特徴とする請求項１〜４のいずれか１項に記載の棚配設用収納装置。
【発明の詳細な説明】
【０００１】
【発明の属する技術分野】
本発明は、例えば、キッチンの吊戸棚に備え付けられる棚配設用収納装置に関するものである。
【０００２】
【従来の技術及び発明が解決しようとする課題】
出願人は、この種の棚配設用収納装置として、特願２００２−１０８３３４号を既に出願している。
【０００３】
本発明は、この先願の改良に係るもので、収納体内の収納量に応じて収納体の下動を緩衝する弾性体の強さを調整変更することができる実用性に秀れた棚配設用収納装置を提供するものである。
【０００４】
【課題を解決するための手段】
添付図面を参照して本発明の要旨を説明する。
【０００５】
底面を開放させた棚１内に収納体２を配設し、この収納体２と棚１とにこの収納体２を上下方向にスライドせしめるスライド機構を設け、このスライド機構を介して収納体２を棚１内からこの棚１の略真下方向であって棚１の底面開放部１Ａより下がった位置に引き出し配設できるように構成した棚配設用収納装置であって、前記棚１の内面に、連結腕杆４の一端部を枢着してこの枢着部５を支点に連結腕杆４を起伏回動自在に設けると共に、この連結腕杆４の他側部を前記収納体２に連結してこの収納体２の上下スライド移動に伴ってこの連結腕杆４が起伏回動するように構成し、この連結腕杆４と前記棚１の内面との間に、連結腕杆４を上方へ起動回動するように付勢する弾性体６を架設し、この弾性体６の棚１内面への固定位置７を、前記連結腕杆４の前記枢着部５より離れた位置に設定すると共に、この固定位置７を棚１内の上下方向に移動して位置変更し得る移動機構８を備えたことを特徴とする棚配設用収納装置に係るものである。
【０００６】
また、前記弾性体６の棚１内面への固定位置７を、前記収納体２により前記連結腕杆４を下方へ伏動回動させようとする荷重と、この連結腕杆４を逆に上方へ起動回動させようとする前記弾性体６の付勢力との総和による作用が略一定となる弾性体６の基準固定位置Ｋに対して、前記移動機構８により棚１内の上方若しくは下方へ位置変更することにより、収納体２にかかる弾性体６の付勢力を調整し得るように構成したことを特徴とする請求項１記載の棚配設用収納装置に係るものである。
【０００７】
また、前記弾性体６の棚１内面への固定位置７を、前記収納体２自体の自重若しくは収納体２に収納物を収納した状態での荷重により前記連結腕杆４を下方へ伏動回動させようとする荷重と、この連結腕杆４を逆に上方へ起動回動させようとする前記弾性体６の付勢力とが、前記収納体２の上下スライド可動範囲内において常に略つりあう弾性体６の基準固定位置Ｋに対して、前記移動機構８により棚１内の上方若しくは下方へ位置変更することにより、収納体２にかかる弾性体６の付勢力を調整し得るように構成したことを特徴とする請求項１，２のいずれか１項に記載の棚配設用収納装置に係るものである。
【０００８】
また、前記連結腕杆４の他端部に前記収納体２を吊り下げ連結し、この連結腕杆４の他端部に前記弾性体６としての吊り上げバネ６の一端を連結すると共に、吊り上げバネ６の他端を，連結腕杆４の前記枢着部５より離れた前記棚１内面に所定範囲上下スライド自在に設けた移動体８Ａに連結して、この移動体８Ａの移動範囲内では常に吊り上げバネ６と連結腕杆４とがＶ字状に配されるように構成すると共に、この移動体８Ａのスライド移動により吊り上げバネ６の一端の連結固定位置７を位置変更し得る前記移動機構８を構成したことを特徴とする請求項１〜３のいずれか１項に記載の棚配設用収納装置に係るものである。
【０００９】
また、前記移動機構８に、前記弾性体６の前記棚１内面への固定位置７を移動して位置変更せしめる位置変更操作部１０を備えたことを特徴とする請求項１〜４のいずれか１項に記載の棚配設用収納装置に係るものである。
【００１０】
【発明の実施の形態】
好適と考える本発明の実施の形態（発明をどのように実施するか）を、図面に基づいてその作用効果を示して簡単に説明する。
【００１１】
棚１内に収納された収納体２を棚１の底面開放部１Ａより下がった位置へ引き出す場合、スライド機構を介して収納体２を下方へスライドさせると、この収納体２に連結した連結腕杆４も弾性体６の付勢力に抗して枢着部５を支点に下方へ伏動回動することになり、逆に引き出された収納体２を棚１内に押し入れ収納する場合、収納体２を上方へスライド移動させると、連結腕杆４は枢着部５を支点に上方へ回動することになる。
【００１２】
また、この際、弾性体６の棚１内面への固定位置７を、前記連結腕杆４の前記枢着部５より離れた位置に設定したため、この連結腕杆４に加わる収納体２の荷重は連結腕杆４の回動位置によって変化し、同様にこの連結腕杆４の回動位置によって連結腕杆４に加わる弾性体６の付勢力も変化する。
【００１３】
具体的に説明すると、例えば、図５に示すように、連結腕杆４の他端部が位置Ａにある時、この連結腕杆４には常に真下方向への荷重Ｗを生じるが、この荷重Ｗによって連結腕杆４は枢着部５を支点に下方へ伏動回動するように働くため、この連結腕杆４には荷重Ｗの伏動回動方向への分力Ｗｃｏｓαが生じることになる。
【００１４】
また、この際、連結腕杆４には弾性体６によって常にこの弾性体６の棚１内面への固定位置７に向かって付勢力（復帰力）Ｌ１を生じるが、この付勢力Ｌ１によって連結腕杆４は枢着部５を支点に上方へ起動回動するように働くため、この連結腕杆４には付勢力Ｌ１の起動回動方向への分力Ｌ１ｃｏｓβが生じることになる。
【００１５】
また、連結腕杆４の他端部が位置Ｂに向かって移動（伏動）するにつれ、∠αの値が０に近付き、位置Ｂではこの連結腕杆４の回動方向が真下方向となるため分力も真下方向へ生じ、連結腕杆４には収納体２の荷重Ｗがそのままかかる。
【００１６】
また、この際、連結腕杆４には弾性体６により常にこの弾性体６の棚１内面への固定位置７に向かって先の位置Ａでの付勢力Ｌ１よりも大きい付勢力（復帰力）Ｌ２を生じ、この付勢力Ｌ２によって連結腕杆４は枢着部５を支点に上方へ起動回動するように働くため、この連結腕杆４には位置Ａの分力Ｌ１ｃｏｓβよりも大きい付勢力Ｌ２の起動回動方向への分力Ｌ２ｃｏｓβ１が生じることになる。
【００１７】
即ち、この連結腕杆４には、常に連結腕杆４の伏動回動方向への分力（Ｗｃｏｓα）と、略逆方向となる連結腕杆４の起動回動方向への分力（Ｌｃｏｓβ）とを生じていることになるのであるが、この連結腕杆４の伏動回動方向への分力の大きさと、起動回動方向への分力の大きさとは、連結腕杆４に対する弾性体６の斜設状態、即ち弾性体６の前記棚１内面への固定位置７によって調整することが可能となる。
【００１８】
従って、例えば、前記収納体２の上下スライド可動範囲内では、常に、この収納体２により前記連結腕杆４を下方へ伏動回動させようとする荷重（Ｗｃｏｓα）と、この連結腕杆４を逆に上方へ起動回動させようとする前記弾性体６の付勢力（Ｌｃｏｓβ）との総和による作用が略一定となるように、この弾性体６の前記棚１内面への固定位置７を前記枢着部５より所定距離離れた位置に設定することが可能となり、このように固定位置７を設定すれば、収納体２は、どの位置でも略同じ力を加えることで昇降移動させることができ、これにより収納体２の重量にかかわらず、引き出し作動も押し上げ作動も略一定の軽い力で行うことができるし、収納体２の昇降スライド移動に際しては常に逆方向への荷重或いは付勢力を生じているため、収納体２が勢い良く棚１から飛び出したり棚１内に勢い良く飛び込むようなこともなく、引き出し作動も押し入れ作動もゆっくりと安全に行われることになる。
【００１９】
また、本発明では、弾性体６の棚１内面への固定位置７を棚１の上下方向に移動して位置変更し得る移動機構８を備えているから、この移動機構８を介して弾性体６の固定位置７を移動することにより、自由に連結腕杆４の伏動回動方向への分力の大きさと、起動回動方向への分力の大きさを調整することができる。
【００２０】
具体的には、例えば、収納体２自体の自重若しくは収納体２に収納物を収納した状態での荷重により前記連結腕杆４を下方へ伏動回動させようとする前記弾性体６の付勢力（Ｗｃｏｓα）と、この連結腕杆４を逆に上方へ起動回動させようとする前記弾性体６の付勢力（Ｌｃｏｓβ）とが、前記収納体２の上下スライド可動範囲内において常に略つりあう弾性体６の前記棚１内面への固定位置７を基準固定位置Ｋと定め（図５の状態）、この基準固定位置Ｋに対して前記移動機構８により固定位置７を棚１内の上方若しくは下方へ位置変更する（弾性体６の斜設状態を変更する）ことにより、収納体２（連結腕杆４）にかかる弾性体６の付勢力を調整し得るように構成すれば、収納体２の収納量に応じて固定位置７を位置変更調整することで、収納体２の収納量にかかわらず、引き出す際も押し入れる際も例えば指などで軽く下方若しくは上方への押圧力を加えることで、ゆっくりと収納体２が引き出し若しくは押し入れられることになるように調整可能となる。
【００２１】
即ち、例えば、収納体２に多くの収納物によって非常に重い荷重がかかっている場合には、図６に示すように固定位置７を基準固定位置Ｋに対して上方へ移動すると、図示した位置Ａ，位置Ｂではもちろん、どのような回動位置でも連結腕杆４には伏動回動方向への分力より起動回動方向への分力（Ｌｃｏｓβ）が大きく作用することになり、これにより収納体２が下方へ引き出される際に、例えば収納体２を棚１内に収納状態に維持するロック機構を解除しても、収納体２が勢い良く出てくることが阻止されて安全に引き出すことができると共に、収納体２の荷重分に抗したわずかな押し上げ力で収納体２を棚１内へ押し上げ収納できることになる。
【００２２】
逆に、収納体２内の収納物が少なく、収納体２にさほどの荷重がかからない場合には、例えば、固定位置７を基準固定位置Ｋに対して下方へ移動すると、どの回動位置でも連結腕杆４には起動回動方向への分力より伏動回動方向への分力（Ｗｃｏｓα）が大きく作用することになり、このように固定位置７を位置調整すると、例えば収納体２を棚１内に収納状態に維持するロック機構を解除した上で、弾性体６の付勢力に勝って下方へ連結腕杆４が回動しようとする荷重分の力を受け止めながら、収納体２をわずかな力で引き出すことができると共に、さほど重くない収納体２を弾性体６の付勢力も手伝って軽い力で棚１内へ押し上げ収納できることになる。
【００２３】
従って、このように本発明では、高価な定荷重バネを使用しなくても、例えば、図５，図６に示すように連結腕杆４に対して弾性体６が斜設状態となるようにこの弾性体６の棚１内面への固定位置７を設定するだけで、収納体２の引き出し作動も押し入れ作動も略定荷重の引押操作で行うことができる構成にでき、しかもこの固定位置７は、移動機構８により収納体２に収納する収納物の量（重量）などに応じてユーザーが好みの昇降操作感（弾性体６の強さ）が得られるように位置調整変更することができるなど、極めて実用性に秀れた画期的な棚配設用収納装置となる。
【００２４】
また、例えば、前記移動機構８に、前記弾性体６の前記棚１内面への固定位置７を移動して位置変更せしめる位置変更操作部１０を備えれば、この操作部１０を操作して固定位置７の位置調整を極めて容易に行うことができるので、一層実用的となる。
【００２５】
【実施例】
本発明の具体的な実施例について図面に基づいて説明する。
【００２６】
本実施例の棚１は、図１〜図３に示すように、正面から見て方形状を呈する前面及び底面開放型の吊戸棚１を採用している。尚、この前面の開放部には、開閉扉などを開閉自在に設けるが、本実施例では説明の都合上図示を省略してある。
【００２７】
本実施例の収納体２は、前記棚１内に全体が収納される大きさの前面開放型の方形箱状体に構成し、下部に引き出し用の取手１１を垂下突設している。
【００２８】
本実施例では、棚１と収納体２とにこの収納体２を上下方向にスライドせしめる図示省略のスライド機構を設けて、この収納体２を図１に示す棚１内収納状態から、図２に示すようにこの棚１の略真下方向であって棚１の底面開放部１Ａよりも下方へ下がった位置に引き出しスライド配設できるように構成している。
【００２９】
また、本実施例では、前記収納体２を棚１内に収納した状態と，棚１内より引き出した状態とをロック・解除自在に固定可能な図示省略のロック機構を備えている。
【００３０】
具体的には、この収納体２のスライド上限位置と，スライド下限位置とで、この双方の状態がロックされる構成としている。
【００３１】
また、この収納体２のスライド上限位置では収納体２が棚１内に収納された状態（図１参照）となり、収納体２のスライド下限位置ではこの収納体２が底面開放部を介して棚１内より下方へ引き出された状態（図２参照）となるように前記スライド機構を構成している。
【００３２】
本実施例では、棚１の内面に、連結腕杆４の一端部を枢着してこの枢着部５を支点に連結腕杆４を起伏回動自在に設けると共に、この連結腕杆４の他側部を前記収納体２に連結してこの収納体２の上下スライド移動に伴ってこの連結腕杆４が起伏回動するように構成している。
【００３３】
具体的に説明すると、連結腕杆４は、図１，図２に示したように長さのある金属製帯板を採用して構成している。
【００３４】
この連結腕杆４の一端部を、前記棚１中程の図１，図２における左側内面に設けた枢着用連結片部１７に起伏回動自在に枢着している。即ち、本実施例では、連結片部１７を介して間接的に棚１の内面に連結腕杆４の一端部を枢着した構成としている。
【００３５】
また、この連結腕杆４の他端部は、この連結腕杆４の長さ方向に対して図面上方へ屈曲形成し、この屈曲根本部付近には回動ローラ９を設け、この回動ローラ９に前記収納体２の上部前側に設けた横長形状の掛止部材３を上方から掛止して、連結腕杆４の他端部にこの掛止部材３を介して前記収納体２を吊り下げ連結している。
【００３６】
また、この横長の掛止部材３に対して、回動ローラ９は収納体２の左右方向（掛止部材２の長さ方向）に摺動自在であり、収納体２の昇降移動に際し連結腕杆４が連動して起伏回動すると、この回動ローラ９を介して連結腕杆４の他端部が掛止部材３に対し左右方向に移動して、常に回動ローラ９と掛止部材３とが接触するように維持される構成としている。
【００３７】
また、本実施例では、この連結腕杆４と前記棚１の内面との間に、連結腕杆４を上方へ起動回動するように付勢する弾性体６を架設すると共に、この弾性体６の棚１内面への固定位置７を、前記連結腕杆４の前記枢着部５より離れた位置に設定している。
【００３８】
具体的に説明すると、棚１の図１，図２における左側内面の、前記枢着部５より上方へ離れた位置に移動体８Ａを設け、この移動体８Ａに弾性体６としての吊り上げバネ６（抗張弾性を有するコイルバネ）の一端部を連結している。即ち、本実施例では、棚１の内面に移動体８Ａを介して間接的に弾性体６を連結した場合を示している。
【００３９】
また、この吊り上げバネ６の他端部を、前記連結腕杆４の他端部の回動ローラ９より離れた屈曲先端部に連結している。このように収納体２の連結位置（回動ローラ９の位置）と吊り上げバネ６の連結位置とを異ならせることによって、吊り上げバネ６の伸縮作動と、回動ローラ９の作動とが互いに緩衝せず、後述の作用効果が確実に発揮されるように構成している。
【００４０】
即ち、本実施例では、この吊り上げバネ６と連結腕杆４とが棚１を正面より見て転Ｖ字状に配されるように構成している。また、本実施例では、この連結腕杆４と吊り上げバネ６とは、収納体２の前方側に配設した構成としているが、収納体２の後方側に配設しても良い。
【００４１】
従って、この吊り上げバネ６の抗張弾性によって常に連結腕杆４が上方へ起動回動するように付勢される構成とし、これにより連結腕杆４の他端部に設けた前記回動ローラ９が常に前記収納体２に設けた掛止部材３に当接した状態に維持され、収納体２の前記スライド機構を介した昇降移動に伴って連結腕杆４も起伏回動するように構成している。
【００４２】
また、この際、連結腕杆４に加わる収納体２の荷重は連結腕杆４の回動位置によって変化し、同様にこの連結腕杆４の回動位置によって連結腕杆４に加わる弾性体６の付勢力も変化することになる。
【００４３】
本実施例では、この弾性体６の棚１内面への固定位置７を棚１内の上下方向に移動して位置変更し得る移動機構８を備えている。
【００４４】
具体的には、移動機構８は、棚１内の左側面に縦長形状のガイド体８Ｂを付設し、このガイド体８Ｂに前記移動体８Ａを上下スライド自在に装着した構成としている。即ち、この移動体８Ａを介してこの移動体８Ａに固定した弾性体６の固定位置７を棚１内の左側面に沿って上下方向にスライド移動し得るように構成している。
【００４５】
また、ガイド体８Ｂは枢着部５より上方へ離れた位置に付設し、このガイド体８Ａに沿ってスライド移動する移動体８Ａがどのスライド位置でも枢着部５から上方へ離れた位置に存するように構成している。
【００４６】
また、本実施例では、この移動機構８に、移動体８Ａを移動して位置変更する位置変更操作部１０を設けている。
【００４７】
具体的には、図３に示すように、棚１の図面左側の外側面の下部に、Ｌ状のハンドル体１２の屈曲部を枢着すると共に、このハンドル体１２の一方の端部を棚１の下方へ突出するように設け、この棚１下方へ突出するハンドル体１２の一方の端部を前記操作部１０として、この操作部１０が収納体２の下方で棚１の前後方向へ回動するように構成している。
【００４８】
また、このハンドル体１２の他方の端部には連動杆１３の一端部を枢支連結し、他端部を棚１の左側面の上部に貫通形成した縦長形状のガイド孔部１４を介して前記移動体８Ａに枢支連結している。
【００４９】
従って、前記操作部１０を収納体２の前後へ回動操作することに連動して連動杆１３が棚１に対して上下動し、これに連動して移動体８Ａ（固定位置７）も上下動するように構成している。
【００５０】
また、本実施例では、操作部１０を位置決めして移動体８Ａ（固定位置７）を所定の位置に位置決めする位置決め手段１５を設けている。
【００５１】
この位置決め手段１５について説明すると、操作部１０を、図４に示すように棚１の左側壁の下端部に貫通形成した棚１の前後方向に長さを有する挿通長孔１６を介して棚１の下方へ突設し、この挿通長孔１６の前後両端部分に位置決め凹部１５Ａを形成して、この位置決め凹部１５Ａに操作部１０を嵌合すると、操作部１０が位置決めされて移動体８Ａ（固定位置７）も所定の位置に位置決めされる構成としている。
【００５２】
また、更に説明すると、棚１に対して後側の位置決め凹部１５Ａに操作部１０を位置決め嵌合した際に、移動体８Ａがガイド体８Ｂのスライド下限に位置し、前側の位置決め凹部１５Ａに操作部１０を位置決め嵌合した際に、移動体８Ａがガイド体８Ｂのスライド上限に位置するように構成している。
【００５３】
また、この操作部１０の操作は、収納体２が棚１内に収納された状態と、棚１から引き出された状態とのどちらでも行えるように構成している。
【００５４】
尚、本実施例では、このように二箇所で操作部１０が位置決めされて、固定位置７も二箇所で位置決めされる構成とした場合を示したが、本発明はこれに限定されるものではなく、もっと多数の箇所で位置決めされるように構成しても良い。
【００５５】
本実施例では、前記収納体２の上下スライド可動範囲内では、常に、この収納体２により前記連結腕杆４を下方へ伏動回動させようとする荷重と、この連結腕杆４を逆に上方へ起動回動させようとする前記弾性体６の付勢力との総和による作用が略一定となるように、この弾性体６の前記棚１内面への固定位置７（前記移動体８Ａの位置）を前記枢着部５より所定距離離れた位置に位置決めし得るように構成している。
【００５６】
具体的に説明すると、前記収納体２自体の自重により前記連結腕杆４を下方へ伏動回動させようとする荷重と、この連結腕杆４を逆に上方へ起動回動させようとする前記弾性体６の付勢力とが、前記収納体２の上下スライド可動範囲内において常に略つりあうように、この弾性体６の前記棚１内面への固定位置７を前記枢着部５より所定距離離れた位置（基準固定位置Ｋ）に移動できるように構成している。
【００５７】
更に詳しく説明すると、図５に示すように、連結腕杆４の他端部が位置Ａにある時、この連結腕杆４には常に真下方向への荷重Ｗを生じるが、この荷重Ｗによって連結腕杆４は枢着部５を支点に下方へ伏動回動するように働くため、この連結腕杆４には荷重Ｗの伏動回動方向への分力Ｗｃｏｓαが生じることになる。
【００５８】
また、この際、連結腕杆４には弾性体６によって常にこの弾性体６の棚１内面への固定位置７に向かって付勢力（復帰力）Ｌ１を生じるが、この付勢力Ｌ１によって連結腕杆４は枢着部５を支点に上方へ起動回動するように働くため、この連結腕杆４には付勢力Ｌ１の起動回動方向への分力Ｌ１ｃｏｓβが生じることになる。
【００５９】
また、連結腕杆４の他端部が位置Ｂにある時、この連結腕杆４は回動方向が真下方向となるために分力も真下へ生じ、収納体２の荷重Ｗがそのままかかる。
【００６０】
また、この際、連結腕杆４には弾性体６により常にこの弾性体６の棚１内面への固定位置７に向かって先の位置Ａでの付勢力Ｌ１よりも大きい付勢力（復帰力）Ｌ２を生じ、この付勢力Ｌ２によって連結腕杆４は枢着部５を支点に上方へ起動回動するように働くため、この連結腕杆４には位置Ａの分力Ｌ１ｃｏｓβよりも大きい付勢力Ｌ２の起動回動方向への分力Ｌ２ｃｏｓβ１が生じることになる。
【００６１】
即ち、この連結腕杆４には、常に連結腕杆４の伏動回動方向への分力（Ｗｃｏｓα）と、略逆方向となる連結腕杆４の起動回動方向への分力（Ｌｃｏｓβ）とを生じており、連結腕杆４が下方へ伏動する程（収納体２が下方へ移動する程）分力Ｗｃｏｓαは∠αの値が０に近付くために大きくなり、また、連結腕杆４が下方へ伏動する程分力Ｌｃｏｓβも弾性体６の付勢力Ｌが大きくなるために大きくなる構成である。
【００６２】
この連結腕杆４の伏動回動方向への分力の大きさと、起動回動方向への分力の大きさとは、連結腕杆４に対する弾性体６の斜設状態、即ち弾性体６の前記棚１内面への固定位置７によって決まるもので、この固定位置７の設定変更により各分力の大きさを設定変更することができる。本実施例では、前記移動機構８を介して、この連結腕杆４の伏動回動方向への分力と、起動回動方向への分力とが、収納体２の上下スライド可動範囲内においてどの位置でも常に略つりあうように、弾性体６の前記棚１内面への固定位置７（前記移動体８Ａの位置）を手動操作によって前記枢着部５より所定距離離れた位置（基準固定位置Ｋ）に設定することができるようにしているものである。
【００６３】
本実施例では、前記操作部１０を挿通長孔１６の後側の位置決め凹部１５Ａに位置決め嵌合した際に固定位置７が基準固定位置Ｋに位置することとなるように構成している（図５の状態）。
【００６４】
この状態では、収納体２を引き出す際も押し入れる際も、例えば指などで収納体２を軽く下方若しくは上方へ押圧するだけで、ゆっくりと収納体２が引き出し若しくは押し入れられることになる上、この収納体２がどの位置にあっても略同じ力を加えることで昇降移動させることができる。
【００６５】
また、収納体２の昇降スライド移動に際しては常に逆方向への荷重を生じているため、収納体２を収納状態に維持するロック機構を解除しても収納体２が勢い良く棚１から飛び出したり、収納体２を引き出し状態に維持するロック機構を解除しても収納体２が棚１内に勢い良く飛び込んだりするようなこともなく、引き出し作動も押し入れ作動もゆっくりと安全に行われることになる。
【００６６】
尚、本実施例では、収納体２の自重により連結腕杆４を伏動回動させようとする荷重と、連結腕杆４を上方へ起動回動させようとする弾性体６の付勢力とが略つりあうことになるように基準固定位置Ｋを設定したため、この基準固定位置Ｋに固定位置７を位置させた状態で実際にこの収納体２に収納物を収納すると、連結腕杆４を下方へ伏動回動させようとする荷重が、連結腕杆４を上方へ起動回動させようとする弾性体６の付勢力よりもやや大きくなる。
【００６７】
この収納物の量によって収納体２の荷重が非常に大きくなるような場合には、操作部１０を前側の位置決め凹部１５Ａへ位置決め嵌合すると、固定位置７（移動体８Ａ）が上方へ移動し、図６に示すこの状態では、連結腕杆４を上方へ起動回動しようとする分力（Ｌｃｏｓβ）がどのような回動位置（収納体２のどのような引き出し位置）でも連結腕杆４の伏動方向への分力（Ｗｃｏｓα）より強く働くことになる。尚、図１〜図３も固定位置７を上方へ移動させて位置決めした場合を示している。
【００６８】
即ち、位置Ａと位置Ｂの場合で説明すると、位置Ａでは起動回動方向への分力Ｌ３ｃｏｓβ２が伏動回動方向への分力Ｗｃｏｓα１より大きく、また、位置Ｂでは、起動回動方向の分力Ｌ４ｃｏｓβ３が伏動回動方向の分力Ｗよりも大きく働くことになるので、多くの収納物によって収納体２に大きな荷重がかかった場合にも対応でき、収納体２が大きな荷重によって下方へ勢い良く飛び出すようなことは阻止されることになる。
【００６９】
尚、本実施例では、基準固定位置Ｋに対して固定位置７を上方へのみ移動できるように構成したが、基準固定位置Ｋより固定位置７を下方へも移動できるように構成しても良い。この場合、連結腕杆４を伏動回動しようとする分力がどの回動位置でも起動回動方向への分力より強く働くことになるため、収納体２の引き出しにほとんど力がいらず、収納体２にほとんど収納物が入っていない場合の使用に適する。
【００７０】
尚、本発明は、本実施例に限られるものではなく、各構成要件の具体的構成は適宜設計し得るものである。
【００７１】
【発明の効果】
本発明は上述のように構成したから、高価な定荷重バネを使用しなくても、収納体の引き出し作動も押し入れ作動も略定荷重の引押操作で行うことができる構成にでき、しかもこの固定位置は、移動機構により収納体に収納する収納物の量（重量）などに応じてユーザーが好みの昇降操作感（弾性体の強さ）が得られるように位置調整変更することができるなど、極めて実用性に秀れた画期的な棚配設用収納装置となる。
【００７２】
また、請求項２，３記載の発明においては、前記作用・効果を確実に発揮する一層実用性に秀れた構成の棚配設用収納装置となる。
【００７３】
また、請求項４記載の発明においては、前記作用・効果を確実に発揮し得、且つ移動機構を簡易に設計実現可能となる一層実用性に秀れた構成の棚配設用収納装置となる。
【００７４】
また、請求項５記載の発明においては、操作部を操作して固定位置の位置調整を極めて容易に行うことができる一層実用性に秀れた構成の棚配設用収納装置となる。
【図面の簡単な説明】
【図１】本実施例の収納体の収納状態を示す正面図である。
【図２】本実施例の収納体の引き出し状態を示す正面図である。
【図３】本実施例の操作部及び移動体の連動構造を示す説明図である。
【図４】本実施例の操作部の位置決め手段を示す部分拡大説明図である。
【図５】本実施例の弾性体の固定位置が基準固定位置に存する状態において、連結腕杆に常に伏動回動方向への分力と、起動回動方向への分力とが生じていることを示す説明図である。
【図６】本実施例の弾性体の固定位置が基準固定位置より上方に位置する状態において、連結腕杆に常に伏動回動方向への分力と、起動回動方向への分力とが生じていることを示す説明図である。
【符号の説明】
１  棚
１Ａ  底面開放部
２  収納体
４  連結腕杆
５  枢着部
６  弾性体（吊り上げバネ）
７  固定位置
８  移動機構
８Ａ  移動体
１０  変更操作部
Ｋ  基準固定位置
【図１】
2005052220.tif 000003
【図２】
2005052220.tif 000004
【図３】
2005052220.tif 000005
【図４】
2005052220.tif 000006
【図５】
2005052220.tif 000007
【図６】
2005052220.tif 000008